(57)【要約】      （修正有）【課題】ティーバッティング時に、打者の好みによるティーの上げ下げを円滑にし、ティーの高さ調整後の保持を容易に且つ確実に行えるように構成したティーバッティング用スタンド装置を提供する。【解決手段】柔軟材で構成されたボール４を乗せるティー１の表面に突起形状1ａを設け、突起形状１ａを有するティー１を囲う硬質材で構成された外郭部材２に、軟質材の突起形状１ａを受けるための接触面２ａを設けて、突起形状１ａを有するティー１を左右いずれかに回転させることにより、硬質材で構成された外郭部材２に設けた接触面２ａと接触し摩擦が生じて固定と保持が可能となり、ボール４を乗せるティー１の高さ調整が容易に且つ敏速に行えるように構成した。【選択図】図１
2012000417.tif 000002
【特許請求の範囲】
【請求項１】
ティーバッティング用スタンド装置において、ボールを乗せる軟質材で構成されたティーの表面に突起形状を設け、突起形状を有するティーを、硬質材で構成した外郭部支柱で囲い、該外郭部支柱に前記軟質材で構成されたティーの表面に設けた突起形状が接触するように接触面を設けて、前記ボールを乗せる軟質材で構成されたティーを左右いずれかに回転させることにより、前記外郭部材に設けた接触面と軟質材で構成したティーの表面に設けた突起形状が接触し、摩擦によって固定と保持が可能となり、ボールを乗せるティーの高さ調整が容易に確実にできるように構成したことを特徴としたティーバッティング用スタンド装置。
【発明の詳細な説明】
【技術分野】
【０００１】  本発明は、ティーバッティング時のティーの高さ調整を自在に且つ敏速にできるように構成し、ティーの高さ調整時間の短縮と容易化を図った、効率的に打撃ができるティーバッティング用スタンド装置に関する。
【背景技術】
【０００２】  従来のティーバッティング用スタンドは高さ調整が可能になるように、ロッドの高さを調整できるように配慮したものもある。（特許文献１参照）
また、設置板にレールを設けレールの長さを長くして高さを調整することが可能なものもある。（特許文献２参照）【０００３】以下、図７、図８により従来のティーバッティング装置について説明する。
７図において、ボールを所定の高さに保持する支承ロッド２０と該支承ロッドと連結して支持する底枠１０と具えたバッティング用ティーにおいて支承ロッドは、固定桿２１と、上下方向に移動自在に取り付けられた可動桿２２の上端に連結されるボールの支持桿２４と、可動桿を任意の高さで保持する保持手段とを備えたことを特徴とする。【０００４】  図８は、設置板を丸型などにすることにより、右打者用と左打者用は同じものが使えるようになり、またレールの長さを２割ほど長くすることにより身長の高い打者にも応じ、延長したレールの端を外角側に残して置くことにより身長の低い打者にも使えるようにしたものである。
【先行技術文献】
【特許文献】
【０００５】
【特許文献１】  実用新案登録第３０７９４１０号公報
【特許文献２】  実用新案登録第３０９６３５２号公報
【発明の概要】
【発明が解決しようとする課題】
【０００６】  以上に述べた、従来のバッティングスタンド装置は、機構が複雑で操作も難しく、ティーの高さ調整は手間の掛るものであった。【０００７】  本発明は、このような従来のティーバッティング用スタンド装置の有していた問題を解決しょうとするものであり、身長差の異なる打者でもティーの高さを容易に変えられて、速やかに打撃ができるティーバッティング用スタンド装置を提供することを目的とするものである。
【課題を解決するための手段】
【０００８】  そして、本発明は、上記目的を達成するために、ティーの高さを容易に任意の高さで保持できるように、ボールを乗せるための軟質材で構成された支柱の表面に突起を設け、該突起を有する支柱を囲むように硬質材で構成された外郭部材に、前記軟質材の表面に設けた突起形状を受けるための接触面を設けて、前記突起形状を有するティーを左右いずれかに回転させることにより、前記硬質材で構成された外郭部材に設けた接触面と接触し摩擦が生じて固定と保持が可能となり、ボールを乗せるティーの高さ調整が容易に且つ敏速に行えるように構成したことを特徴としたティーバッティング用スタンド装置を提供する。【０００９】  本発明の、ティーバッティング用スタンド装置の、軟質材で構成したティーは軸方向に円形をしており、外郭部材の支柱に軸方向の矩形の接触面を設けることにより、前記突起を設けたティーを左右いずれかに回転させることにより、接触面で摩擦が生じてティーの固定と保持ができるものである。【００１０】  また、ティーの表面に設けた突起形状は連続タイプでも分割タイプでもよく、ティーを回転させることにより外郭部材に設けた接触面と接触し摩擦が生じ固定と保持ができるように構成したものである。【００１１】  上述したように本発明の、ティーバッティング用スタンド装置は、ボールを乗せる軟質材で構成したティーと、該軟質材のティーを囲うための硬質材で構成した外郭部材の支柱と、該支柱を立てるための基盤から成り立っており、組み立て式で移動時にも楽に持ち運びができるもように構成したものである。【００１２】また、軟質材によって構成されたティーには、ボールを乗せ易いように上端部の形状を花弁状に開かせて、ボールを安定して乗せることができるようにすると共に、高さ調整をした後のティーを固定するために右、又は左に回転させる時に、指が掛り易いように配慮して構成したことを特徴としたものである。
【発明の効果】
【００１３】上記、課題解決手段による作用は次の通りである。すなわち、近年少年野球の登竜門としてティーバッティングによる試合競技が取り入れられ、小学校低学年から競技人口が増加してきていて大会も度々行われている。チーム内の練習においても打者が連続して打席に立ち打撃を行うため、身長差によるティーの高さ調整を頻繁に行う必要が生じ、ティーを希望の高さに調節することが打者の重要な作業となり、容易に高さ調節ができるように構成したティーバッティング用スタンド装置を活用することにより、打撃練習の円滑化と打者の打撃力の向上に寄与できるものである。
【図面の簡単な説明】
【００１４】
【図１】  本発明の実施形態を示すティーバッティングスタンド装置の斜視図
【図２】  本発明の断面ＡＡのティーの開放状態図
【図３】  本発明の断面ＡＡのティーの拘束状態図
【図４】  本発明のティーの斜視図
【図５】  本発明の外郭支柱の斜視図
【図６】  本発明の基盤の斜視図
【図７】  従来のバッティング用ティーの斜視図
【図８】  従来のスライドするバッティングスタンドの斜視図
【発明を実施するための形態】
【００１５】  以下、本発明の実施形態を図１〜図６に基づいて説明する。
【００１６】  図１においては、１は軟質材で構成されたティーの表面に突起形状１ａを有しており、該突起形状を有したティー１を囲うように硬質部材で構成した外郭部支柱２を設定し、該外郭部材支柱に前記ティー１の突起形状１ａの接触面２ａを設けたものである。
【００１７】図２は、図１の断面ＡＡであり前記軟質材で構成された突起形状１ａを有するティー１と、硬質部材で構成した外郭部支柱２で前記ティー１の突起形状１ａの接触面２ａを構成した図であり、ティー１の開放状態を示すものである。
【００１８】図３は、図１の断面ＡＡであり前記軟質材で構成された突起形状１ａを有するティー１と、硬質部材で構成した外郭部支柱２で前記ティー１の突起形状１ａの接触面２ａを構成した図であり、ティー１の拘束状態を示すものである。
図４は、本発明の軟質材で構成された突起形状１ａを有するティー１の外観図であり、ボールを乗せる部分を花弁状１ｂに開かせたものである。
図５は、本発明の硬質材で構成された外郭部支柱２で前記ティー１の突起形状１ａに接する面２ａを有する外郭部支柱２の斜視図である。
図６は、前記外郭部支柱２を立てるための基盤３の斜視図である。
【００１９】  以下、上記構成の動作を説明する。ティーバッティング用スタンド装置を支える基盤３に硬質部材で構成した外郭部支柱２を、捩じ込み又は嵌め込みで取り付けて、該外郭部支柱２の内側に軟質材で構成したティー１を挿入し、該ティー１を任意の高さに調整し、左右いずれかの方向に回転させることにより、前記ティー１の外面に設けた突起形状１ａが外郭部支柱２に設けた接触面２ａと接触し摩擦によって前記ティー１の高さ調整後の高さを固定し保持することができる。
【００２０】  また、ティー１のボールを乗せる部分１ｂは皿型でもよいが、花弁状に開かせてボールを乗せ易くするとともに、ティーの上げ下げと固定のための回転操作を容易にするために指が掛りやすいように配慮し使い易くしたものである。
【符号の説明】
【００２１】１    ティー
１ａ  突起
１ｂ  花弁状に開いたティーの上端部
２    外郭部支柱
２ａ  接触面
３    基盤
４    ボール
【図１】
2012000417.tif 000003
【図２】
2012000417.tif 000004
【図３】
2012000417.tif 000005
【図４】
2012000417.tif 000006
【図５】
2012000417.tif 000007
【図６】
2012000417.tif 000008
【図７】
2012000417.tif 000009
【図８】
2012000417.tif 000010